(57)【要約】【課題】既存の光通信システムでのサービス提供をそのまま継続させながら、他の通信速度のサービスをも低コストで実現可能とする。【解決手段】ＯＬＴは、プリアンブルパターンの送出時間を通信速度に応じて変更する。すなわち、プリアンブルパターンの送出時間を通信速度に応じたものとすることにより、それぞれの通信速度に最適な長さのプリアンブルパターンを送出する。こうして異なる通信速度の光信号を同一の光波長により送受信できるようにすることにより、光信号の送受信を行うための光モジュールを１つで済ませることができる。【選択図】図１
2008054244.tif 000002
【特許請求の範囲】
【請求項１】
１つの発光手段に、
前記発光手段により１つの通信速度による光信号を出力するための処理を行う第１の処理手段と、
前記発光手段により他の通信速度による光信号を出力するための処理を行う第２の処理手段とが接続されて構成されたことを特徴とする局側光網終端装置。
【請求項２】
前記第１の処理手段および前記第２の処理手段を、同一のクロックにより制御するクロック制御手段を備えたことを特徴とする請求項１記載の局側光網終端装置。
【請求項３】
加入者側光網終端装置との間の距離を測定する距離測定手段と、
前記発光手段による光出力を、前記距離測定手段による測定結果に基づいて調整する光出力調整手段とを備えたことを特徴とする請求項２記載の局側光網終端装置。
【請求項４】
前記距離測定手段は、前記１つの通信速度での測定と、前記他の通信速度での測定とを、時間帯が重ならないように行うことを特徴とする請求項３記載の局側光網終端装置。
【請求項５】
前記距離測定手段は、前記クロック制御手段のクロックに基づいて、前記１つの通信速度での測定と、前記他の通信速度での測定とにおける時刻同期を行うことを特徴とする請求項３または４記載の局側光網終端装置。
【請求項６】
誤り訂正用に各フレームに付加される冗長ビットの長さを、前記距離測定手段による測定結果に基づいて定める冗長ビット長さ決定手段を備えたことを特徴とする請求項３から５の何れか１項に記載の局側光網終端装置。
【請求項７】
誤り率を検出する誤り率検出手段を備え、
誤り訂正用に各フレームに付加される冗長ビットの長さを、前記誤り率検出手段により検出された誤り率に基づいて定める冗長ビット長さ決定手段を備えたことを特徴とする請求項１から６の何れか１項に記載の局側光網終端装置。
【請求項８】
前記冗長ビット長さ決定手段による決定結果に基づいて、誤り訂正用に各フレームに付加される冗長ビットの長さを、前記第１の処理手段、前記第２の処理手段、および加入者側光網終端装置に指示信号として送信する冗長ビット長さ指示手段を備え、
前記第１の処理手段および前記第２の処理手段は、前記冗長ビット長さ指示手段から受信した指示信号に基づく長さの冗長ビットを、誤り訂正用に各フレームに付加して送信することを特徴とする請求項６または７記載の局側光網終端装置。
【請求項９】
前記発光手段により送信される各フレームの前に、当該フレームの通信速度に応じた送出時間のプリアンブルパターンを送信させるプリアンブルパターン送信手段を備えたことを特徴とする請求項１から８の何れか１項に記載の局側光網終端装置。
【請求項１０】
前記プリアンブルパターンとして送信されるアイドルパターンにスクランブル制御を行うスクランブル制御手段を備えたことを特徴とする請求項９記載の局側光網終端装置。
【請求項１１】
光信号を送信するための発光手段と、
局側光網終端装置から受信した光量レベルを検出する光量レベル検出手段と、
前記光量レベル検出手段による検出結果に基づいて前記発光手段による光出力を調整する加入者側光出力調整手段と、を備えたことを特徴とする加入者側光網終端装置。
【請求項１２】
光信号を送信するための発光手段と、
無信号時に前記発光手段によりアイドルパターンを送信する連続アイドルパターン送信手段とを備えたことを特徴とする加入者側光網終端装置。
【請求項１３】
光信号を送信するための発光手段と、
前記発光手段により送信する各フレームの前に局側光網終端装置から受信した指示に基づいた長さのプリアンブルパターンとしてアイドルパターンを送信するプリアンブルパターン送信手段とを備えたことを特徴とする加入者側光網終端装置。
【請求項１４】
送信する前記アイドルパターンにスクランブル制御を行うスクランブル制御手段を備えたことを特徴とする請求項１２または１３記載の加入者側光網終端装置。
【請求項１５】
局側光網終端装置から受信した光信号からクロック情報を抽出するクロック情報抽出手段を備え、
該抽出されたクロックに基づいて、送受信する光信号おける時刻同期を行うことを特徴とする加入者側光網終端装置。
【請求項１６】
誤り訂正用にフレームに付加される冗長ビットの長さを、局側光網終端装置から受信した指示信号に基づいて変更するフレーム生成手段を備えたことを特徴とする加入者側光網終端装置。
【請求項１７】
請求項１から１０の何れか１項に記載の局側光網終端装置と、請求項１１から１６の何れか１項に記載の加入者側光網終端装置とが接続されて構成されたことを特徴とする光通信システム。
【発明の詳細な説明】
【技術分野】
【０００１】
本発明は、例えばＰＯＮ（Passive Optical Network）などの、伝送媒体に光を用いた通信により高速に情報の送受信を行うための局側光網終端装置、加入者側光網終端装置、および光通信システムに関する。
【背景技術】
【０００２】
近年、映像サービスやインターネットアクセスなどのマルチメディアサービスが普及するのに伴い、ＦＴＴＢ（Fiber to the Building）、ＦＴＴＨ（Fiber to the Home）等により加入者の機器まで伝送媒体に光を用いて通信接続を行う光通信システムの導入が進んでいる。
【０００３】
図６に、一般的なＰＯＮの構成例を示す。こうした従来の光通信システムで、ＰＯＮは、局側光網終端装置ＯＬＴ（Optical Line Terminal）からの光信号を、１対多接続の光分岐結合器である光スターカプラで受動的に分岐、合流し、オフィス等に設置された複数の加入者側光網終端装置ＯＮＵ（Optical Network Unit）に光ファイバで接続する構成となっている。
【０００４】
また、本出願人により先に出願されているシステムとして、光カプラと加入者側光網終端装置間を二重化したＡＴＭ−ＰＯＮ二重化システムについて、切り替え制御情報に基づいて仮想パスまたは仮想チャネル単位に切り替えを行うようにすることで、障害の発生していない回線に影響を与えることなく高速な予備系への切り替えを行うようにしたものがある（例えば、特許文献１参照）。
【０００５】
また、本出願人により先に出願されているＩＰ（Internet Protocol）電話アクセスシステムとして、宅内終端装置内に設けかつ宅内終端装置毎の論理リンク識別子とＩＰ電話端末のＩＰアドレスとを対応付けるアドレス管理テーブルと、ＩＤ管理テーブルと、加入者番号管理テーブルとを用いてＩＰパケットを検証することで、地理的識別区域を越えて固定電話用番号を利用することを防止できるようにしたものがある（例えば、特許文献２参照）。
【特許文献１】特開２００２−５７６７９号公報
【特許文献２】特開２００６−１３６３９号公報
【発明の開示】
【発明が解決しようとする課題】
【０００６】
しかしながら、上述した従来の光通信システムで、さらに高速化したＰＯＮのサービスを導入しようとする時、既存サービスを利用するユーザへもサービスを継続する必要があるため、図７に例示するように、既存サービス用のＯＬＴと、高速化サービス用のＯＬＴとをそれぞれ備える必要があった。このため、既存サービスだけを提供する場合に比べてはるかに高コストとなってしまっていた。
図７の例では、既存サービス用を１Ｇ  ＯＬＴ、高速化サービス用を１０Ｇ  ＯＬＴとして示す。
【０００７】
また、波長分割多重化方式（ＷＤＭ；Wavelength Division Multiplexing）により、各通信速度に対応してそれぞれ異なる波長域の光信号を重ねていくこととなるため、サービスを提供する通信速度や用途が増加していくと、使用可能な波長帯の確保が困難になっていく虞があった。
【０００８】
また、上述した特許文献１、２のものは、複数の通信速度のサービスを提供することについてまで考慮されたものではなく、従ってその場合の低コスト化についても考慮されたものではなかった。
【０００９】
本発明はこのような状況に鑑みてなされたものであり、既存の光通信システムでのサービス提供をそのまま継続させながら、他の通信速度のサービスをも低コストで実現可能な局側光網終端装置、加入者側光網終端装置、および光通信システムを提供することを目的とする。
【課題を解決するための手段】
【００１０】
かかる目的を達成するために、本発明に係る局側光網終端装置は、１つの発光手段に、上記発光手段により１つの通信速度による光信号を出力するための処理を行う第１の処理手段と、上記発光手段により他の通信速度による光信号を出力するための処理を行う第２の処理手段とが接続されて構成されたことを特徴とする。
【００１１】
また、本発明に係る局側光網終端装置は、上記第１の処理手段および上記第２の処理手段を、同一のクロックにより制御するクロック制御手段を備えたことを特徴とする。
【００１２】
また、本発明に係る局側光網終端装置は、加入者側光網終端装置との間の距離を測定する距離測定手段と、上記発光手段による光出力を、上記距離測定手段による測定結果に基づいて調整する光出力調整手段とを備えたことを特徴とする。
【００１３】
また、本発明に係る局側光網終端装置は、上記距離測定手段は、上記１つの通信速度での測定と、上記他の通信速度での測定とを、時間帯が重ならないように行うことを特徴とする。
【００１４】
また、本発明に係る局側光網終端装置は、上記距離測定手段は、上記クロック制御手段のクロックに基づいて、上記１つの通信速度での測定と、上記他の通信速度での測定とにおける時刻同期を行うことを特徴とする。
【００１５】
また、本発明に係る局側光網終端装置は、  誤り訂正用に各フレームに付加される冗長ビットの長さを、上記距離測定手段による測定結果に基づいて定める冗長ビット長さ決定手段を備えたことを特徴とする。
【００１６】
また、本発明に係る局側光網終端装置は、  誤り率を検出する誤り率検出手段を備え、
誤り訂正用に各フレームに付加される冗長ビットの長さを、上記誤り率検出手段により検出された誤り率に基づいて定める冗長ビット長さ決定手段を備えたことを特徴とする。
【００１７】
また、本発明に係る局側光網終端装置は、  上記冗長ビット長さ決定手段による決定結果に基づいて、誤り訂正用に各フレームに付加される冗長ビットの長さを、上記第１の処理手段、上記第２の処理手段、および加入者側光網終端装置に指示信号として送信する冗長ビット長さ指示手段を備え、上記第１の処理手段および上記第２の処理手段は、上記冗長ビット長さ指示手段から受信した指示信号に基づく長さの冗長ビットを、誤り訂正用に各フレームに付加して送信することを特徴とする。
【００１８】
また、本発明に係る局側光網終端装置は、上記発光手段により送信される各フレームの前に、当該フレームの通信速度に応じた送出時間のプリアンブルパターンを送信させるプリアンブルパターン送信手段を備えたことを特徴とする。
【００１９】
また、本発明に係る局側光網終端装置は、上記プリアンブルパターンとして送信されるアイドルパターンにスクランブル制御を行うスクランブル制御手段を備えたことを特徴とする。
【００２０】
また、本発明に係る局側光網終端装置は、上記発光手段により送信される各フレームの前に、当該フレームの通信速度に応じた送出時間のプリアンブルパターンを送信させるプリアンブルパターン送信手段を備えたことを特徴とする。
【００２１】
また、本発明に係る局側光網終端装置は、上記プリアンブルパターンとして送信されるアイドルパターンにスクランブル制御を行うスクランブル制御手段を備えたことを特徴とする。
【００２２】
また、本発明に係る局側光網終端装置は、誤り率を検出する誤り率検出手段を備え、誤り訂正用に各フレームに付加される冗長ビットの長さを、上記誤り率検出手段により検出された誤り率に基づいて定めて加入者側光網終端装置に指示信号として送信する冗長ビット長さ指示手段を備えたことを特徴とする。
【００２３】
また、本発明に係る加入者側光網終端装置は、光信号を送信するための発光手段と、局側光網終端装置から受信した光量レベルを検出する光量レベル検出手段と、上記光量レベル検出手段による検出結果に基づいて上記発光手段による光出力を調整する加入者側光出力調整手段と、を備えたことを特徴とする。
【００２４】
また、本発明に係る加入者側光網終端装置は、光信号を送信するための発光手段と、無信号時に上記発光手段によりアイドルパターンを送信する連続アイドルパターン送信手段とを備えたことを特徴とする。
【００２５】
また、本発明に係る加入者側光網終端装置は、光信号を送信するための発光手段と、上記発光手段により送信する各フレームの前に局側光網終端装置から受信した指示に基づいた長さのプリアンブルパターンとしてアイドルパターンを送信するプリアンブルパターン送信手段とを備えたことを特徴とする。
【００２６】
また、本発明に係る加入者側光網終端装置は、送信するアイドルパターンにスクランブル制御を行うスクランブル制御手段を備えたことを特徴とする。
【００２７】
また、本発明に係る加入者側光網終端装置は、局側光網終端装置から受信した光信号からクロック情報を抽出するクロック情報抽出手段を備え、該抽出されたクロックに基づいて、送受信する光信号おける時刻同期を行うことを特徴とする。
【００２８】
また、本発明に係る加入者側光網終端装置は、誤り訂正用にフレームに付加される冗長ビットの長さを、局側光網終端装置から受信した指示に基づいて変更するフレーム生成手段を備えたことを特徴とする。
【００２９】
また、本発明に係る光通信システムは、上述した本発明に係る局側光網終端装置と、上述した本発明に係る加入者側光網終端装置とが接続されて構成されたことを特徴とする。
【発明の効果】
【００３０】
以上のように、本発明によれば、既存の光通信システムでのサービス提供をそのまま継続させながら、他の通信速度のサービスをも低コストで実現することができる。
【発明を実施するための最良の形態】
【００３１】
次に、本発明に係る局側光網終端装置、加入者側光網終端装置、および光通信システムを適用した一実施形態について、図面を用いて詳細に説明する。
【００３２】
〔光通信システムの構成〕
本発明の実施形態としての光通信システムは、図１に示すように、１Ｇ／１０Ｇ  ＯＬＴ１からの光信号が、光スターカプラで分岐されて１Ｇ  ＯＮＵ４と、１０Ｇ  ＯＮＵ７とに送信されると共に、その逆方向にも送信できるように構成されている。
【００３３】
１Ｇ／１０Ｇ  ＯＬＴ１は、１Ｇ／１０Ｇ  ＰＯＮ  ＯＬＴ２と、Ｖｉｄｅｏ  ＯＬＴ３とからの光信号が、光合分波部１１でＷＤＭにより多重化されると共に、その逆方向にも送信できるように構成されている。
【００３４】
１Ｇ  ＯＮＵ４は、１Ｇ  ＰＯＮ  ＯＮＵ５と、Ｖｉｄｅｏ  ＯＮＵ６とからの光信号が、光合分波部４１でＷＤＭにより多重化されると共に、その逆方向にも送信できるように構成されている。
また、１０Ｇ  ＯＮＵ７も同様に、１Ｇ  ＰＯＮ  ＯＮＵ８と、Ｖｉｄｅｏ  ＯＮＵ９とからの光信号が、光合分波部７１でＷＤＭにより多重化されると共に、その逆方向にも送信できるように構成されている。
【００３５】
１Ｇ／１０Ｇ  ＰＯＮ  ＯＬＴ２および１Ｇ  ＰＯＮ  ＯＮＵ５の間の光通信では、１Ｇ／１０Ｇ  ＰＯＮ  ＯＬＴ２および１０Ｇ  ＰＯＮ  ＯＮＵ８の間の光通信に用いられる光波長と同じ波長で光通信が行われる。すなわち、同一の光波長で、１Gbps（Giga Bit per Second）の光通信と、１０Gbpsの光通信とが行われるように構成されている。
【００３６】
光波長の割り当て例を図２に示す。この図２に示すように、上り回線のデータ送信には、１Gbps、１０Gbps共に波長λ１が用いられ、下り回線のデータ送信には、１Gbps、１０Gbps共に波長λ２が用いられている。
このように、時分割多元接続ＴＤＭＡ（Time Division Multiple Access）を用いることで、同一の光波長で異なる２つの通信速度での光通信が行われるようになっている。
【００３７】
〔通信速度の異なる光信号の送受信とアイドルパターン〕
このように異なる通信速度の光信号を同一の光波長により送受信するため、本光通信システムにおける各ＯＬＴおよび各ＯＮＵは、図１に示すように、各フレームのデータ部の前にプリアンブルパターンとしてアイドルパターンを送信する。
このように、各通信速度によるデータ信号間に時間差を空けられるようにすることで、同一の光波長の信号による通信速度が切り替えられた場合であっても、受信する回路が追従できるように構成されている。
【００３８】
また、ＯＬＴは、プリアンブルパターンの送出時間を通信速度に応じて変更する。
すなわち、１Gbpsの通信速度と１０Gbpsの通信速度とでは、同じビット数のプリアンブルパターンを送出する場合であっても、送出時間が異なるものとなってくる。このため、プリアンブルパターンの送出時間を通信速度に応じたものとすることにより、それぞれの通信速度に最適な長さのプリアンブルパターンを送出することができる。
【００３９】
一般に、プリアンブルパターンの送出時間は固定されているが、本実施形態では上述のようにプリアンブルパターンの送出時間を通信速度に応じて変更する。このため、複数の異なる通信速度の光信号を１つの光波長により送受信する場合であっても、プリアンブルパターンが長すぎることによりデータ送出時間が圧迫されてしまったり、プリアンブルパターンが短すぎることによりデータ送受信の信頼性が低くなってしまうことのない、高精度で安定した光通信を実現することができる。
【００４０】
こうして異なる通信速度の光信号を同一の光波長により送受信できるようにすることにより、光信号の送受信を行うための光モジュールを１つで済ませることができる。
このため、１つの通信速度の光信号のみを送受信する従来のＯＬＴと比べてもコスト高になることなく、それでいて異なる通信速度のデータ信号同士がぶつかることのない、信頼性の高い通信を確保できるようになっている。
【００４１】
〔ＯＬＴの主要構成〕
１Ｇ／１０Ｇ  ＰＯＮ  ＯＬＴ２の主要構成について、図３を参照して説明する。
光信号を送受信する光モジュールは、ＰＤ（Photodiode）２０２とＬＤ（Laser Diode）２０３とを備え、ＰＤ２０２により受信する光信号と、ＬＤ２０３により送信される光信号とが、光合分波部２０１により、ＷＤＭで多重化されるよう構成されている。
【００４２】
ＰＤ２０２により光信号が受信されると、その信号が１Gbps／１０Gbpsの何れであるかに応じて、ＳＥＬ（Selector）２０４が、１Ｇ用ＣＤＲ（Clock And Data Recovery）部２０５または１０Ｇ用ＣＤＲ部２０７へとその信号の出力先を選択する。
光信号が１Gbpsのフレームである場合には、１Ｇ用ＣＤＲ部２０５が、送信されたフレームからクロックおよびデータ情報を抽出して復元する。その復元された情報に１Ｇ用ＰＯＮ処理部２０６が所定の処理を行い、送信されたデータを読み取れるようにする。
【００４３】
光信号が１０Gbpsのフレームである場合には、１０Ｇ用ＣＤＲ部２０７が、送信されたフレームからクロックおよびデータ情報を抽出して復元する。その復元された情報に１０Ｇ用ＰＯＮ処理部２０８が所定の処理を行い、送信されたデータを読み取れるようにする。
【００４４】
こうして１Ｇ用ＰＯＮ処理部２０６または１０Ｇ用ＰＯＮ処理部２０８で処理された情報について、誤り率検出２０９は、ＦＥＣ（Forward Error Correction）により付加されている冗長ビットからフレームの誤り率を検出する。
また、距離測定制御部２１０は、ＯＬＴとＯＮＵとの間の距離測定の制御を行う。
ＩＰマルチキャスト制御パケット監視部２１５は、送信されたフレームにＩＰマルチキャスト制御パケットが含まれているか否かを監視し、そのフレームを後段の処理部に出力する。
【００４５】
光レベルチェック部２１１は、ＰＤ２０２により受信された光信号の光量レベルが光レベルモニタ部２１２により検出されると、その検出された光レベルのチェックを行う。このチェック結果に基づいて、起動制御部２１４は、ＳＥＬ２０４、ＯＮＵ制御情報生成部２１３、下り帯域制御部２１８、下り出力速度判定部２１９への起動指示を行う。
【００４６】
ＯＮＵ制御情報生成部（冗長ビット長さ決定手段、かつ冗長ビット長さ指示手段）２１３は、誤り率検出２０９、距離測定制御部２１０、起動制御部２１４、その他ＯＮＵの制御に関わる各種の機能部から情報入力を受信することで、ＯＮＵに対して出力する光信号の制御情報を生成する。この光信号の制御情報とは、例えば１Ｇ用ＰＯＮ処理部２２０、１０Ｇ用ＰＯＮ処理部２２１、およびＯＮＵでＦＥＣにより付加する冗長ビットの長さ調整、そして光出力パワーのレベル制御、プリアンブルパターンの長さ制御などを行うための情報信号である。
【００４７】
ＯＮＵへの下り回線に出力する信号への処理を行う構成として、まず、１Ｇ／１０Ｇ判別部２１６は、前段の処理部から送信された信号が１Gbpsで出力するものか、１０Gbpsで出力するものかを判別する。
【００４８】
ＩＰマルチキャスト監視＆制御部２１７は、出力する光信号にＩＰマルチキャストにより送信するフレームが含まれているかどうかの監視とその制御を行う。
下り帯域制御部２１８は、ＩＰマルチキャスト制御パケット監視部２１５による上り回線の信号の監視結果に基づいて、下り回線に出力する光信号の帯域制御を行う。
【００４９】
こうして帯域制御が行われた光信号を出力するための処理を、１Gbpsの信号であれば１Ｇ用ＰＯＮ処理部（第１の処理手段）２２０が、１０Gbpsの信号であれば１０Ｇ用ＰＯＮ処理部（第２の処理手段）２２１が、それぞれ行う。この時、１Ｇ用ＰＯＮ処理部２２０または１０Ｇ用ＰＯＮ処理部２２１は、上述したＯＮＵ制御情報生成部２１３から受信した制御情報（指示信号）に基づいた長さの冗長ビットを、ＦＥＣにより各フレームに付加する。
【００５０】
また、１Ｇ／１０Ｇ判別部２１６が、入力されるデータ速度（１Gbpsまたは１０Gbps）を判別することで、下り出力速度判定部２１９が下り回線の通信速度を判定し、その通信速度に応じたプリアンブルパターンの長さを上述のようにして定める。
下り出力速度判定部２１９による判定結果に基づいて、ＳＥＬ（Selector）２２２は、１Ｇ用ＰＯＮ処理部２２０または１０Ｇ用ＰＯＮ処理部２２１と、ＬＤ２０３との接続を選択し、通信速度に応じて定められた長さのプリアンブルパターンを、図１に例示するように各通信速度のデータフレームの前に送信できるように付加する。
【００５１】
こうして、１Ｇ用ＰＯＮ処理部２２０または１０Ｇ用ＰＯＮ処理部２２１により処理された情報が、通信速度に応じた長さのプリアンブルパターンを付加されたデータフレームとして、ＬＤ２０３により下り回線に出力される。
【００５２】
クロック制御部２２３は、上述した信号情報の処理を行うマスタークロックを生成すると共に、このマスタークロックに基づいて、１Gbpsの信号のクロックと、１０Gbpsの信号のクロックとを同期させる制御を行う。
このように、上り回線と下り回線とを同一のマスタークロックに基づいて送受信することにより、それぞれの信号を確実に同期させることができる。この同一のクロックを用いる方法については、例えばＰＬＬ（Phase Locked Loop）回路を用いて調整する方法など、各種の方法を用いてよい。
【００５３】
〔ＯＮＵの主要構成〕
次に、本実施形態に係るＯＮＵの主要構成について説明する。
主要な部分の構成については、図１に示す１Ｇ  ＰＯＮ  ＯＮＵ５についても、１０Ｇ  ＰＯＮ  ＯＮＵ８についても、対応する通信速度の点が異なる以外は同様である。このため、ここでは１Ｇ  ＰＯＮ  ＯＮＵ５の主要構成を例として、図４を参照して説明する。
【００５４】
光信号を送受信する光モジュールは、ＰＤ５１０とＬＤ５０９とを備え、ＬＤ５０９により送信される光信号と、ＰＤ５１０により受信する光信号とが、光合分波部５０８により、ＷＤＭで多重化されるよう構成されている。
【００５５】
ＰＤ５１０により光信号が受信されると、ＣＤＲ部５１２は、受信したフレームからクロックおよびデータ情報を抽出して復元する。このクロックは、ＯＮＵ本体の動作を制御するクロックとして活用される。このことにより、ＯＬＴのクロックとＯＮＵのクロックとを同期させることができる。
【００５６】
こうしてＣＤＲ部５１２により復元された情報に対して、誤り訂正部５１３は、ＦＥＣにより、付加されている冗長ビットからフレームの誤りを検出して訂正する。
自ＯＮＵ宛判定部５１４は、誤りが訂正されたフレームが本ＯＮＵ宛に送信されたものであるか否かを判定する。本ＯＮＵ宛に送信されたものである場合、後段の処理部に送信する。
【００５７】
こうして受信されたフレームの情報に対して、誤り訂正用冗長ビット指示受信部５０３は、ＦＥＣにより付加している冗長ビットの長さについてのＯＬＴからの指示信号の情報を受信し、その指示に基づく長さの冗長ビット付加を上りＰＯＮフレーム生成部５０１に指示する。
【００５８】
プリアンブルパターン指示受信部５０４は、各フレームのデータ部の前にプリアンブルパターンとして送信するアイドルパターンの長さについての指示をＯＬＴから受信し、その指示に基づく長さのアイドルパターンをプリアンブルパターンとして送信するよう、上りＰＯＮフレーム生成部５０１に指示する。
上り送出タイミング制御５０５は、上りＰＯＮフレーム生成部５０１による上り回線へのフレーム送出タイミングの制御を行う。
【００５９】
出力レベル指示受信部５０６は、光出力パワーのレベル制御についての指示をＯＬＴから受信し、その指示に基づくパワーレベルでＬＤ５０９から光出力が行われるよう、光出力レベル制御部５０７に指示を送信する。
光出力レベル制御部５０７には、他に、受光レベルモニタ部５１１により検出された、ＰＤ５１０で受信された光信号における光出力レベルも入力され、この受信された光信号における光出力レベルに基づく光出力レベルの制御も可能となっている。
【００６０】
上りＰＯＮフレーム生成部５０１は、上述のようにして送信された各指示に基づいて、ＯＬＴからの指示に基づく長さの冗長ビットが付加されたフレームを、上り回線への送出用として生成する。プリアンブル挿入部５０２は、生成されたフレームに、上述のようにして送信された指示に基づいた長さのプリアンブルパターンを挿入する。
こうしてデータフレームにプリアンブルパターンが付加されたデータに基づき、ＬＤ５０９が上り回線へのデータ送信を行う。
【００６１】
〔通信速度の異なる光信号の送信と誤り訂正方式〕
また、本実施形態としての光通信システムでは、上述のようにＦＥＣとして、少量の冗長ビットをデータの前に追加して各フレームを構成し、このことにより不完全な伝送による誤りを検出して修正するようにしている。
【００６２】
ここで、ＯＬＴの誤り率検出２０９が各通信速度についての誤り率を検出し、その検出された誤り率に基づいて、ＯＮＵ制御情報生成部２１３が各通信速度についての１フレーム当たりの冗長ビットの長さを決定し、指示信号として１Ｇ用ＰＯＮ処理部２２０と、１０Ｇ用ＰＯＮ処理部２２１と、各ＯＮＵとに送信する。
【００６３】
その指示信号をＯＮＵの誤り訂正用冗長ビット指示受信部５０３が受信して上りＰＯＮフレーム生成部５０１に指示を送信する。上りＰＯＮフレーム生成部５０１は、こうしてＯＮＵ制御情報生成部２１３からの指示に基づく長さの冗長ビットを有するデータフレームを、上り回線への送出用として生成する。
【００６４】
また、ＯＬＴの１Ｇ用ＰＯＮ処理部２２０または１０Ｇ用ＰＯＮ処理部２２１は、ＯＮＵ制御情報生成部２１３による指示信号を受信し、ＯＮＵ制御情報生成部２１３からの指示に基づく長さの冗長ビットを有するデータフレームを、下り回線への送出用として生成する。
【００６５】
以上のようにして、上り回線および下り回線の両方について、冗長ビットの長さが通信速度ごとに適切に制御され、誤り訂正能力が適正なレベルに維持されるようになっている。
【００６６】
誤り訂正能力を上げると、１つのフレームで送信できるデータ量が少なくなってしまうため、伝送路中で発生したエラーを測定することで、発生するエラーの量に応じて、予め定められたエラー訂正能力とするように、冗長ビットの長さを決定する。
このことにより、通信速度の異なる光信号が１つの光波長に混在していても、それぞれの通信速度に応じて、適切な誤り訂正能力と、１つのフレーム当たりの送信データ量とをバランスよく制御することができる。
【００６７】
なお、上述した実施形態では、誤り率検出２０９により検出された誤り率に基づいて、ＯＮＵ制御情報生成部２１３が、１フレーム当たりの冗長ビットの長さを各通信速度について決定することとして説明したが、冗長ビット長さの決定方法はこのことに限定されず、例えば、距離測定制御部２１０により測定されたＯＬＴとＯＮＵとの間の距離に基づいて、冗長ビットの長さを決定する構成であってもよい。
【００６８】
この場合、距離測定制御部２１０により測定されたＯＬＴとＯＮＵとの間の距離が長い場合、その距離の長さに応じて冗長ビットの長さも長くすることとしてよい。この距離の長さから冗長ビットの長さを算出する方法については、予め定められた算出方法であれば各種の算出方法を用いてよい。
このように、ＯＬＴとＯＮＵとの間の距離に応じて冗長ビットの長さを決定することにより、冗長ビットの長さの安定した制御ができるようになる。
【００６９】
また、１フレーム当たりの冗長ビットの長さを、上述のように誤り率検出２０９により検出された誤り率に基づいて決定するか、あるいは、上述のように距離測定制御部２１０により測定されたＯＬＴとＯＮＵとの間の距離に基づいて決定するかを、ユーザの設定入力などに基づいて選択できる構成であってもよい。
【００７０】
〔無信号時のアイドルパターン送出〕
次に、本実施形態としての光通信システムでの信号送信におけるアイドルパターンについて説明する。
上述のように、本実施形態としての光通信システムでは、通信速度の異なる光信号を確実に送受信するため、各データ信号の前に、通信速度に応じた長さのアイドルパターンを送出している。
【００７１】
また、ＯＮＵは、上り方向の無信号時にもアイドルパターンを送信する。
すなわち、光信号による上り回線へのデータフレームの送出がＯＮＵにより開始された時、ＯＬＴはまず、信号の同期をとり、受信した光信号が１Gbpsの信号なのか１０Gbpsの信号なのかを検出し、それから受信処理を行う。このため、無信号状態で光信号が発信されないという構成であると、光信号の送出が開始された時、ＯＬＴが受信した光信号に対してビット同期をとるところからスタートすることとなるため、送信された光信号のデータ処理が間に合わなくなる虞がある。
【００７２】
このため、上り回線への出力が無信号である時にもアイドルパターンを送信するようにすることで、ＯＬＴは光信号へのビット同期を常時維持し続けることができ、ＯＮＵから送信されてくる高速通信の光信号に対しても確実に反応できるようにすることができる。
【００７３】
〔アイドルパターンへのスクランブル制御〕
また、本実施形態としての光通信システムでは、他の波長帯における光信号に影響を与えないようにするため、上り回線および下り回線における全ての通信速度について、アイドルパターンにスクランブル制御を行う。
【００７４】
他の波長帯の光信号へ影響を与える例として、光ファイバに入射された励起光からラマン散乱による誘導放出が起こり、励起光波長より１００ｎｍ程度長い波長域に増幅が得られる、いわゆるラマン増幅によるものがある。このラマン増幅により、下り回線の光信号がＣＡＴＶ（Cable Television）などのアナログＶｉｄｅｏ信号に影響を与えてしまうといったことが起こりうる。
【００７５】
すなわち、上述したアイドルパターンは、特定のパターンの周波数の整数倍となっている。このため、ＣＡＴＶなどのアナログＶｉｄｅｏ信号で使用される周波数が、アイドルパターンとして使用されるパターンの周波数の整数倍になってしまうと、上述したラマン増幅により、アナログＶｉｄｅｏ信号の送受信に悪影響を及ぼす虞がある。
【００７６】
このため、本実施形態としての光通信システムでは、上り回線および下り回線におけるそれぞれの通信速度について、プリアンブルパターンや無信号時に用いられるアイドルパターン全てにスクランブル処理を行う。すなわち、送信を行うＯＬＴやＯＮＵが、送信するアイドルパターン全てにスクランブル処理を行う。
スクランブル処理の方法については、例えばスペクトラム拡散を用いて疑似ランダムなビット列に符号化する技術など、各種のものを用いてよい。
【００７７】
本実施形態としての光通信システムでは、上述のように、プリアンブルパターンや無信号時に用いられるアイドルパターン全てにスクランブル処理を行うことにより、ＣＡＴＶなどのアナログＶｉｄｅｏ信号で使用される周波数がアイドルパターンの周波数の整数倍となってしまうことを防止することができる。
このため、アイドルパターンが、上述したラマン増幅などにより、アナログＶｉｄｅｏ信号の送受信に悪影響を及ぼすことのないようにすることができ、信頼性の高い安定した通信ができるようになる。
【００７８】
特に、ＣＡＴＶ業者がラマン増幅により影響を受ける波長帯のチャンネルでデータ送信を行っている場合に、このスクランブル制御が必要となる。
このため、本光通信システムに参加してアナログＶｉｄｅｏ信号を利用する全ての業者が、ラマン増幅により影響を受ける波長帯のチャンネルでデータ送信を行っていないことが明らかであれば、このスクランブル制御を行わないようにしてもよい。すなわち、ラマン増幅により他の波長帯のチャンネルに影響を与える虞がある波長帯を光通信に使用する装置が、本光通信システムに含まれていないことが明らかである場合、このスクランブル制御を行わない構成であってもよい。
【００７９】
〔光出力の調整〕
次に、本実施形態としての光通信システムでの光出力の調整について、図５のフローチャートを参照して説明する。
１０Gbpsの伝送では、１Gbpsよりも高速通信を実現するため、ノイズ対策として、光出力が１Gbpsでの通信時よりも大きくあることが望まれる。しかし、１Gbpsでの通信で光出力が大きすぎるのも問題があるため、何れの通信速度においても適切な光出力の調整が必要となる。
【００８０】
まず、ＯＮＵの受光レベルモニタ部５１１が、ＰＤ５１０により受光された光量レベルを検出し、その検出された光量レベルに基づいて、光出力レベル制御部５０７が光出力レベルの調整を行う（ステップＳ１）。
【００８１】
次に、ＯＬＴの距離測定制御部２１０の制御により、ＯＬＴからＯＮＵまでの距離を測定する（ステップＳ２）。
この距離測定方法としては、例えばまず、距離測定開始の信号をＯＬＴから送信し、その距離測定信号に対するＯＮＵからの返信信号を受信し、この距離測定開始の信号送信から返信信号の受信までの遅延時間によって距離を測定する方法などがある。
【００８２】
こうして測定された距離情報に基づいて、ＯＮＵ制御情報生成部２１３がその距離における伝送損失を算出し、その伝送損失に応じて、１Gbps、１０Gbpsそれぞれの信号についての光出力のレベルを決定する（ステップＳ３）。
すなわち、距離が近い場合、予め定められた算出方法により、距離に応じて光量レベルを下げた光出力を算出し、その出力レベルに調整する。距離が遠い場合、予め定められた算出方法により、距離に応じて光量レベルを上げた光出力を算出し、その出力レベルに調整する。
【００８３】
この距離測定は、各通信速度について、タイムシェアするように行う。すなわち、それぞれの通信速度について、距離測定のためのフレームを送受信するタイミングが重なることのないように、順次距離測定を行う。
このことにより、それぞれの通信速度について、他の影響を受けることなく正確な距離測定を行うことができる。
【００８４】
また、それぞれの通信速度について、距離測定開始の信号をＯＬＴから送信し、ＯＮＵからの返信信号を受信するにも、クロック制御部２２３によるマスタークロックの制御に基づいてカウンタの時刻同期を行う。
この時刻同期に基づいて距離測定開始の送信スロット位置を決定していくため、それぞれの通信速度における距離測定で、確実な時刻同期を確保することができる。
【００８５】
以上のように、光出力の調整として、上述したステップＳ１での受光レベルに基づく上り回線の出力調整の後、上述したステップＳ２、Ｓ３での距離に基づく下り回線の出力調整を行うことで、より正確な光出力の調整を行うことができる。
【００８６】
なお、光出力の調整は、上述したステップＳ１、Ｓ２、Ｓ３の全てを行うことに限定されず、例えばステップＳ１のみ、あるいはＳ２とＳ３のみで行う構成などであってもよい。
すなわち、上述したステップＳ１での受光レベルに基づく調整と、上述したステップＳ２、Ｓ３での距離に基づく調整との何れか一方で光出力の調整を行う構成であってもよい。
【００８７】
〔効果〕
以上のように、上述した本実施形態の光通信システムによれば、既存の１Gbpsによる光通信システムでのサービス提供をそのまま継続させながら、ＯＬＴが１つの光モジュールで１Gbpsと１０Gbpsとの２つの通信速度によるサービスに対応できるため、既存サービスだけを提供する場合と同程度のコストで両方の通信速度によるサービスを提供することができる。
【００８８】
また、１Gbpsと１０Gbpsとの２つの通信速度によるサービスを提供するに当たって、１Gbpsのクロックと１０Gbpsのクロックとを、クロック制御部２２３による同一のマスタークロックに基づいて同期させるよう制御するため、位相同期、周波数同期、送信スロット位置の時刻同期といった２つの通信速度間の同期を確実に維持することができる。
【００８９】
また、ＯＬＴとＯＮＵ間の距離や受光光量に基づいて、光出力を適正に調整することができるため、１Gbpsと１０Gbpsとの２つの通信速度それぞれについて、良好な雑音対策ができ、通信の信頼性を高めることができる。
【００９０】
また、１Gbpsと１０Gbpsとの２つの通信速度それぞれについて、フレームの通信速度に応じた送出時間のプリアンブルパターンをデータフレームの前に送信するため、２つの通信速度のデータが混じってしまうことなく、かつ受信に用いられる回路がそれぞれの通信速度に確実に反応することができ、かつプリアンブルパターンのためにデータフレームの送出時間が短くなりすぎてしまうといったこともなく、２つの通信速度それぞれによる適切なデータ送信ができる。
【００９１】
また、ＯＬＴの誤り率検出２０９が各通信速度についての誤り率を検出し、その検出された誤り率に基づいて冗長ビットの長さを通信速度ごとに適切に制御するため、それぞれの通信速度に応じて、適切な誤り訂正能力と、１つのフレーム当たりの送信データ量とをバランスよく制御することができる。
【００９２】
また、ＯＬＴの距離測定制御部２１０により測定されたＯＬＴとＯＮＵとの間の距離に基づいて、ＦＥＣとして付加する冗長ビットの長さを決定することにより、ＯＬＴとＯＮＵとの間の距離に応じて適切な誤り訂正能力と、１つのフレーム当たりの送信データ量とをバランスよく制御することができる。
【００９３】
また、上述した冗長ビットの長さを誤り率検出２０９により検出された誤り率に基づいて決定するか、距離測定制御部２１０により測定されたＯＬＴとＯＮＵとの間の距離に基づいて決定するかを、ユーザの設定入力などに基づいて選択できるようにすることで、各装置の配置状態やネットワークの状態などに応じて、ＦＥＣの制御方法を柔軟に切り替えることができる。
【００９４】
また、アイドルパターンにスクランブル制御を行うことにより、ラマン増幅により他の信号に影響を与えることのない、信頼性の高い通信システムを提供できる。
【００９５】
なお、上述した各実施形態は本発明の好適な実施形態であり、本発明はこれに限定されることなく、本発明の技術的思想に基づいて種々変形して実施することが可能である。
例えば、各種のＯＬＴ、ＯＮＵは図１に示す台数に限定されず、任意の台数であってよい。
【図面の簡単な説明】
【００９６】
【図１】本発明の実施形態としての光通信システムの構成例を示すブロック図である。
【図２】光波長の割り当て例を示す図である。
【図３】１Ｇ／１０Ｇ  ＰＯＮ  ＯＬＴ２の主要部の構成例を示すブロック図である。
【図４】１Ｇ  ＰＯＮ  ＯＮＵ５の主要部の構成例を示すブロック図である。
【図５】光出力の調整動作例を示すフローチャートである。
【図６】従来の光通信システムの構成例を示すブロック図である。
【図７】従来の光通信システムで複数の通信速度のサービスを行う場合の構成例を示すブロック図である。
【符号の説明】
【００９７】
１    １Ｇ／１０Ｇ  ＯＬＴ
２    １Ｇ／１０Ｇ  ＰＯＮ  ＯＬＴ（局側光網終端装置の一例）
２１３    ＯＮＵ制御情報生成部（冗長ビット長さ決定手段の一例、かつ冗長ビット長さ指示手段の一例）
２２０    １Ｇ用ＰＯＮ処理部（第１の処理手段）
２２１    １０Ｇ用ＰＯＮ処理部（第２の処理手段）
３    Ｖｉｄｅｏ  ＯＬＴ
４    １Ｇ  ＯＮＵ
５    １Ｇ  ＰＯＮ  ＯＮＵ（加入者側光網終端装置の一例）
６    Ｖｉｄｅｏ  ＯＮＵ
７    １０Ｇ  ＯＮＵ
８    １０Ｇ  ＰＯＮ  ＯＮＵ（加入者側光網終端装置の一例）
９    Ｖｉｄｅｏ  ＯＮＵ
【図１】
2008054244.tif 000003
【図２】
2008054244.tif 000004
【図３】
2008054244.tif 000005
【図４】
2008054244.tif 000006
【図５】
2008054244.tif 000007
【図６】
2008054244.tif 000008
【図７】
2008054244.tif 000009